(57)【要約】【課題】省スペース化、および組付け作業の簡略化を図ることができるとともに解体時の分別作業での作業効率を向上させることができるワイヤハーネス余長吸収構造を提供すること。【解決手段】ケース１３は係脱操作機構を有する。この係脱操作機構は、ワイヤハーネス５０がケース１３から引き出されるようにケース１３が図１（ｂ）中に矢印Ｆで示されるハーネス引き出し方向へ移動されることにより、ループ状植毛係止体１１とフック状植毛係止体１２とを係合させる。また、当該係脱操作機構は、ワイヤハーネス５０がケース１３に収納されるようにケース１３が図１（ａ）中に矢印Ｅで示されるハーネス取り入れ方向へ移動されることにより、ループ状植毛係止体１１とフック状植毛係止体１２との係合を解除する。【選択図】図１
2006314176.tif 000002
【特許請求の範囲】
【請求項１】
ワイヤハーネスと、
前記ワイヤハーネスの長さ方向に沿って配置され、被取付体に対して前記ワイヤハーネスを着脱自在にするために係脱自在に形成され、前記ワイヤハーネスと前記被取付体とに介在且つ固定された係脱自在機構と、
前記係脱自在機構に沿って移動自在に配置され、前記ワイヤハーネスの長さ方向の一端部の余長部分を収納するケースと、
を備え、
前記ケースが係脱操作機構を有し、
前記係脱操作機構は、前記ワイヤハーネスが前記ケースから引き出されるように前記ケースが前記ワイヤハーネスの長さ方向の一端部へ向かう第１の方向へ移動されることにより、前記係脱自在機構を係合させ、そして
前記係脱操作機構は、前記ワイヤハーネスが前記ケースに収納されるように前記ケースが前記第１の方向とは逆の第２の方向へ移動されることにより、前記係脱自在機構の係合を解除すること、
を特徴とするワイヤハーネス余長吸収構造。
【請求項２】
前記係脱自在機構がファスナーであること、
を特徴とする請求項１に記載したワイヤハーネス余長吸収構造。
【請求項３】
前記ファスナーが、相対向するように配置された複数のフック状植毛係止体と複数のループ状植毛係止体とを含むこと、
を特徴とする請求項２に記載したワイヤハーネス余長吸収構造。
【請求項４】
前記係脱操作機構は、
前記ワイヤハーネスが前記ケースから引き出される際に前記複数のフック状植毛係止体と前記複数のループ状植毛係止体とが係合するように該ワイヤハーネスを押圧する押圧部と、
前記ワイヤハーネスが前記ケースに収納されるように進入する際に前記複数のフック状植毛係止体と前記複数のループ状植毛係止体との係合を解除するように前記複数のフック状植毛係止体と前記複数のループ状植毛係止体との間に進入する解除部と、
を含むこと、
を特徴とする請求項３に記載したワイヤハーネス余長吸収構造。
【請求項５】
前記係脱自在機構が、
前記ワイヤハーネスの長さ方向に並ぶように前記ワイヤハーネスに固定された複数の係止爪と、
前記被取付体の表面の少なくとも一部を連続的に覆うように前記被取付体に固定された係止爪受容部材と、
を含み、
前記複数の係止爪は、それらの前記ワイヤハーネスから前記係止爪受容部材へ延長する本体から、交差する方向にそれぞれ延長する引っ掛け先端部を有し、
前記係止爪受容部材は、前記引っ掛け先端部と係合する係合長尺突起部と、当該係合長尺突起部の長尺先端面と対向しながら配置された長尺自由端面を有する可撓片持ち長尺片部と、を有し、
前記引っ掛け先端部と前記係合長尺突起部とが係合しながら前記ワイヤハーネスが前記ケース外に位置する際に、前記複数の係止爪の前記本体が前記係合長尺突起部の長尺先端面と前記可撓片持ち長尺片部の長尺自由端面とに介在し、そして
前記ワイヤハーネスが前記ケースに収納されるように進入する際に、前記可撓片持ち長尺片部が前記係脱操作機構により前記ワイヤハーネスから離れる方向に押圧されることにより変形し、その変形に伴い前記係止爪と前記係止爪受容部材との係合が解除可能な状態となること、
を特徴とする請求項１に記載したワイヤハーネス余長吸収構造。
【請求項６】
前記係脱操作機構は、
前記ワイヤハーネスが前記ケースから引き出されながら前記係止爪の引っ掛け先端部が前記係止爪受容部材の係合長尺突起部と係合するように、前記ワイヤハーネスの前記係止爪が固定された面とは反対側の面と前記係止爪受容部材との間の距離を一定に保つ係合強制部と、
前記ワイヤハーネスが前記ケース内に進入しながら前記係止爪の引っ掛け先端部と前記係止爪受容部材の係合長尺突起部との係合が解除されるように前記係止爪受容部材の可撓片持ち長尺片部を前記ワイヤハーネスから離れる方向に押圧する係合解除部と、
を含むこと、
を特徴とする請求項５に記載したワイヤハーネス余長吸収構造。
【請求項７】
前記ワイヤハーネスの長さ方向の一端部の余長部分が湾曲状に前記ケース内に収納されることを特徴とする請求項１〜請求項６のいずれか一項に記載したワイヤハーネス余長吸収構造。
【発明の詳細な説明】
【技術分野】
【０００１】
本発明は、例えば自動車等の車両内に配策されるワイヤハーネスの余長を吸収するワイヤハーネス余長吸収構造に関する。
【背景技術】
【０００２】
ワイヤハーネスを輪状に曲げて該ワイヤハーネスに輪部を形成し、その輪部を拡径あるいは縮径できるようにプロテクタケースのハーネス収納部内に収納したワイヤハーネス余長吸収構造は従来から知られている（例えば、特許文献１参照）。
【０００３】
このワイヤハーネス余長吸収構造は、プロテクタケースに係合して自動車ドア開閉に伴いスライド移動するハーネスプロテクタを備え、このハーネスプロテクタにワイヤハーネスの各電線をバラして一列に並べたフラットハーネス部が収容されている。
【０００４】
このワイヤハーネス余長吸収構造では、ワイヤハーネスが、自動車ドアが閉じていると、ハーネス収納部内の周縁いっぱいに沿って最大の径となり、そして自動車ドアが開くと、ハーネスプロテクタがプロテクタケースから引き出されるようにスライド移動して輪部の始端部が引っ張られ縮径するようになっている。
【０００５】
上記ワイヤハーネス余長吸収構造では、ハーネスプロテクタがワイヤハーネスの伸縮ストロークと同等以上の長さでスライド移動し、ハーネスプロテクタのスライド軌跡が直線か緩い曲線に制限されるため、大きなスペースを必要とし、よって省スペース化を困難にする。
【０００６】
上記ワイヤハーネス余長吸収構造とは異なる構造をもつ他の従来のワイヤハーネス余長吸収構造として、収容ケース内にドアハーネスを一重巻きで収容し、ドアハーネスの引き出しに抗して引き戻し方向の付勢力を作用させるスプリングをドアハーネスのばね受に係止させたものが知られている（例えば、特許文献２参照）。
【０００７】
このワイヤハーネス余長吸収構造では、ドア閉鎖状態からドアが開かれると、収容ケース内のドアハーネスがその巻径を縮小されながら引出口より引き出されていき、ばね受が引出口側へ移動するために、スプリングが圧縮され、ドアハーネスを引き戻す方向の付勢力が作用する。これに対して、ドア開放状態からドアが閉じられると、スプリングの圧縮に伴う戻し方向の付勢力が作用しているドアハーネスが巻径を大としながら巻き戻されるようになっている。
【０００８】
このワイヤハーネス余長吸収構造では、金属製のスプリングを用いるため、そのスプリングをワイヤハーネスに止める手段等を必要とし、これにより部品点数が多くなるのに加えて、スプリングにワイヤハーネスを通さねばならないので、組付け性が悪い。また、スプリングに通したワイヤハーネスがそのスプリングに触れるため、ワイヤハーネスの電線の絶縁被膜を損傷する虞がある。更に、ワイヤハーネスとスプリングとの組み合わせであるがために、リサイクルのための廃棄車両の解体時に、ワイヤハーネスにおける銅、アルミニウム、等を主材料としている電線の導体と、バネ材料として一般に特殊鋼が選ばれるスプリングとを分別せねばならず、その分別作業に手間がかかる。
【０００９】
【特許文献１】特開平１１−２６３１７８号公報
【特許文献２】特開平１０−１８１４７６号公報
【発明の開示】
【発明が解決しようとする課題】
【００１０】
本発明は、上述した事情に鑑みてなされたものであり、その目的は、省スペース化、および組付け作業の簡略化を図ることができるとともに解体時の分別作業での作業効率を向上させることができるワイヤハーネス余長吸収構造を提供することにある。
【課題を解決するための手段】
【００１１】
前述した目的を達成するため、本発明に係るワイヤハーネス余長吸収構造は、下記（１）〜（９）を特徴としている。
（１）  ワイヤハーネスと、
前記ワイヤハーネスの長さ方向に沿って配置され、被取付体に対して前記ワイヤハーネスを着脱自在にするために係脱自在に形成され、前記ワイヤハーネスと前記被取付体とに介在且つ固定された係脱自在機構と、
前記係脱自在機構に沿って移動自在に配置され、前記ワイヤハーネスの長さ方向の一端部の余長部分を収納するケースと、
を備え、
前記ケースが係脱操作機構を有し、
前記係脱操作機構は、前記ワイヤハーネスが前記ケースから引き出されるように前記ケースが前記ワイヤハーネスの長さ方向の一端部へ向かう第１の方向へ移動されることにより、前記係脱自在機構を係合させ、そして
前記係脱操作機構は、前記ワイヤハーネスが前記ケースに収納されるように前記ケースが前記第１の方向とは逆の第２の方向へ移動されることにより、前記係脱自在機構の係合を解除すること。
（２）  上記（１）の構成のワイヤハーネス余長吸収構造において、
前記係脱自在機構がファスナーであること。
（３）  上記（２）の構成のワイヤハーネス余長吸収構造において、
前記係脱自在機構が面ファスナーであること。
（４）  上記（２）または（３）の構成のワイヤハーネス余長吸収構造において、
前記ファスナーは、非金属製であり且つ、その少なくとも係脱する機構部分が合成樹脂製であること。
（５）  上記（３）または（４）の構成のワイヤハーネス余長吸収構造において、
前記ファスナーが、相対向するように配置された複数のフック状植毛係止体と複数のループ状植毛係止体とを含むこと。
（６）  上記（５）の構成のワイヤハーネス余長吸収構造において、
前記係脱操作機構は、
前記ワイヤハーネスが前記ケースから引き出される際に前記複数のフック状植毛係止体と前記複数のループ状植毛係止体とが係合するように該ワイヤハーネスを押圧する押圧部と、
前記ワイヤハーネスが前記ケースに収納されるように進入する際に前記複数のフック状植毛係止体と前記複数のループ状植毛係止体との係合を解除するように前記複数のフック状植毛係止体と前記複数のループ状植毛係止体との間に進入する解除部と、
を含むこと。
（７）  上記（１）の構成のワイヤハーネス余長吸収構造において、
前記係脱自在機構が、
前記ワイヤハーネスの長さ方向に並ぶように前記ワイヤハーネスに固定された複数の係止爪と、
前記被取付体の表面の少なくとも一部を連続的に覆うように前記被取付体に固定された係止爪受容部材と、
を含み、
前記複数の係止爪は、それらの前記ワイヤハーネスから前記係止爪受容部材へ延長する本体から、交差する方向にそれぞれ延長する引っ掛け先端部を有し、
前記係止爪受容部材は、前記引っ掛け先端部と係合する係合長尺突起部と、当該係合長尺突起部の長尺先端面と対向しながら配置された長尺自由端面を有する可撓片持ち長尺片部と、を有し、
前記引っ掛け先端部と前記係合長尺突起部とが係合しながら前記ワイヤハーネスが前記ケース外に位置する際に、前記複数の係止爪の前記本体が前記係合長尺突起部の長尺先端面と前記可撓片持ち長尺片部の長尺自由端面とに介在し、そして
前記ワイヤハーネスが前記ケースに収納されるように進入する際に、前記可撓片持ち長尺片部が前記係脱操作機構により前記ワイヤハーネスから離れる方向に押圧されることにより変形し、その変形に伴い前記係止爪と前記係止爪受容部材との係合が解除可能な状態となること。
（８）  上記（７）の構成のワイヤハーネス余長吸収構造において、
前記係脱操作機構は、
前記ワイヤハーネスが前記ケースから引き出されながら前記係止爪の引っ掛け先端部が前記係止爪受容部材の係合長尺突起部と係合するように、前記ワイヤハーネスの前記係止爪が固定された面とは反対側の面と前記係止爪受容部材との間の距離を一定に保つ係合強制部と、
前記ワイヤハーネスが前記ケース内に進入しながら前記係止爪の引っ掛け先端部と前記係止爪受容部材の係合長尺突起部との係合が解除されるように前記係止爪受容部材の可撓片持ち長尺片部を前記ワイヤハーネスから離れる方向に押圧する係合解除部と、
を含むこと。
（９）  上記（１）〜（８）のいずれかの構成のワイヤハーネス余長吸収構造において、
前記ワイヤハーネスの長さ方向の一端部の余長部分が湾曲状に前記ケース内に収納されること。
【００１２】
上記（１）の構成のワイヤハーネス余長吸収構造では、ケースを第１の方向へ移動していくと係脱操作機構により係脱自在機構が係合していくので、ワイヤハーネスがケースから引き出されながら被取付体に取り付けられていく。他方、ケースを第２の方向へ移動していくと係脱操作機構により係脱自在機構の係合が解除されていくので、ワイヤハーネスが、省スペース化を図る上で好ましくは湾曲状にケース内に収納されながら被取付体から離脱されていく。従って、上記（１）の構成のワイヤハーネス余長吸収構造によれば、ケースを移動させるだけでワイヤハーネスの被取付体への着脱を行なえるため、組付け作業を簡略化することができ、そして従来のワイヤハーネス余長吸収構造と比較して大きなスペースを必要としないようにできるので、省スペース化を図ることができる。その上、上記（１）の構成のワイヤハーネス余長吸収構造では、金属製のスプリング等を用いないので、部品点数を減少させることができるとともにワイヤハーネスを損傷することもなく、リサイクルのための分別作業を効率良く行なうことができる。
上記（２）の構成のワイヤハーネス余長吸収構造では、係脱自在機構が、例えば、マジックテープ（登録商標）、ベルクロ（即ち、ｖｅｌｃｒｏ）、等の面ファスナー、コイルファスナー等のチェインファスナー、等といったファスナーであって、即ち、ワイヤハーネスに固定される長尺な第１の機構部材と被取付体に固定される長尺な第２の機構部材とが互いに係脱自在に構成されたものである。この場合、係脱操作機構は、２つの長尺な機構部材を係脱させる係脱操作スライダーとして働く。よって、上記（２）の構成のワイヤハーネス余長吸収構造によれば、被取付体に対してワイヤハーネスを容易に着脱自在にすることができる。
特に、上記（３）の構成のワイヤハーネス余長吸収構造では、係脱自在機構は、例えば、マジックテープ（登録商標）、ベルクロ（即ち、ｖｅｌｃｒｏ）、等といった面ファスナーであるので、たとえワイヤハーネスの外面や被取付体の取付面が曲面や凹凸面を持つものであったとしても、接着剤、粘着テープ、等の適宜な固定手段により係脱自在機構をワイヤハーネスの外面と被取付体の取付面とに容易に固定することができる。
また、上記（４）の構成のワイヤハーネス余長吸収構造では、前記ファスナーが非金属製であり、そして前記ファスナーの少なくとも係脱する機構部分が合成樹脂製であるので、金属製のスプリングとは異なり、リサイクルのための解体時の分別作業が容易になる。
また、上記（５）の構成のワイヤハーネス余長吸収構造によれば、前記ファスナーが、マジックテープ（登録商標）やベルクロ（即ち、ｖｅｌｃｒｏ）のように、相対向するように配置された複数のフック状植毛係止体と複数のループ状植毛係止体とを含むので、被取付体に対してワイヤハーネスを容易に着脱自在にすることができる。
上記（６）の構成のワイヤハーネス余長吸収構造によれば、係脱操作機構の押圧部はワイヤハーネスがケースから引き出される際に複数のフック状植毛係止体と複数のループ状植毛係止体とが係合するように該ワイヤハーネスを押圧し、そして係脱操作機構の解除部はワイヤハーネスがケースに収納されるように進入する際に複数のフック状植毛係止体と複数のループ状植毛係止体との係合を解除するので、被取付体に対するワイヤハーネスの着脱を確実にすることができる。尚、押圧部をワイヤハーネスの外径に応じて撓むように形成すれば、ワイヤハーネスの外径にバラツキがあったとしても、それを吸収して確実に係脱自在機構を係合させることができる。また、押圧部および解除部をケースに一体成形すれば、他の別体部材としてケースに取付ける必要がなくなり、生産性を向上させることができる。
他方、上記（７）の構成のワイヤハーネス余長吸収構造では、ワイヤハーネスがケースに収納されるように進入する際に、可撓片持ち長尺片部が係脱操作機構によりワイヤハーネスから離れる方向に押圧されることにより変形し、その変形に伴い係止爪と係止爪受容部材との係合が解除可能な状態となる。尚、ワイヤハーネスがケースから引き出される場合、前述の係合解除操作とは逆の操作が行なわれる。よって、上記（７）の構成のワイヤハーネス余長吸収構造によれば、被取付体に対してワイヤハーネスを容易に着脱自在にすることができる。
上記（８）の構成のワイヤハーネス余長吸収構造では、係脱操作機構の係合強制部が、ワイヤハーネスがケースから引き出されながら係止爪の引っ掛け先端部が係止爪受容部材の係合長尺突起部と係合するように、ワイヤハーネスの係止爪が固定された面とは反対側の面と係止爪受容部材との間の距離を一定に保ち、そして係脱操作機構の係合解除部が、ワイヤハーネスがケース内に進入しながら係止爪の引っ掛け先端部と係止爪受容部材の係合長尺突起部との係合が解除されるように係止爪受容部材の可撓片持ち長尺片部をワイヤハーネスから離れる方向に押圧する。上記（８）の構成のワイヤハーネス余長吸収構造によれば、被取付体に対するワイヤハーネスの着脱を確実にすることができる。尚、係合強制部および係合解除部をケースに一体成形すれば、他の別体部材としてケースに取付ける必要がなくなり、生産性を向上させることができる。
上記（９）の構成のワイヤハーネス余長吸収構造によれば、ワイヤハーネスの長さ方向の一端部の余長部分が湾曲状にケース内に収納されるので、ケース内の空間が小さくても効率よくワイヤハーネスの余長部分をケース内に収納することができる。
【発明の効果】
【００１３】
本発明のワイヤハーネス余長吸収構造によれば、省スペース化、および組付け作業の簡略化を図ることができるとともに解体時の分別作業での作業効率を向上させることができる。
【００１４】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１５】
以下、本発明に係る二つの好適な実施形態を添付図面に基づいて詳細に説明する。
【００１６】
図１（ａ）および図１（ｂ）は本発明に係るワイヤハーネス余長吸収構造の第１実施形態を示す断面図であって、特に図１（ａ）はワイヤハーネスがケース内に進入する際の様子を示す断面図、そして図１（ｂ）は図１（ａ）のケース内に収納されているワイヤハーネスを該ケースから引き出す際の様子を示す断面図である。図２は本発明に係るワイヤハーネス余長吸収構造の第２実施形態を示す断面図、図３（ａ）は図２のＡ−Ａ線矢視断面図、図３（ｂ）は図２のＢ−Ｂ線矢視断面図、図３（ｃ）は図２のＣ−Ｃ線矢視断面図、そして図３（ｄ）は図２のＤ−Ｄ線矢視断面図である。
【００１７】
（第１実施形態）
図１（ａ）および図１（ｂ）に示されるように、ワイヤハーネス余長吸収構造１０は、ワイヤハーネス５０と、当該ワイヤハーネス５０の長さ方向に沿って配置され、被取付体５１に対してワイヤハーネス５０を着脱自在にするために係脱自在に形成され、ワイヤハーネス５０と被取付体５１とに介在且つ固定された係脱自在機構と、当該係脱自在機構に沿ってスライド移動自在に配置され、ワイヤハーネス５０の長さ方向の一端部の余長部分５３を収納するケース１３と、を備える。
【００１８】
ワイヤハーネス５０は、複数の被覆電線（不図示）をシース５２によって被覆した可撓体であり、その長さ方向に直交する方向の断面輪郭が略円形を有する。ワイヤハーネス５０は、ＦＦＣ（即ち、Ｆｌｅｘｉｂｌｅ  Ｆｌａｔ  Ｃａｂｌｅ）、リボン電線、等といった可撓性を有するフラット電線であってもよい。
【００１９】
このワイヤハーネス余長吸収構造１０が備える係脱自在機構は、例えば、マジックテープ（登録商標）、ベルクロ（即ち、ｖｅｌｃｒｏ）、等といった公知の帯状の非金属製面ファスナーであるが、あるいは一般に衣類等で用いられる非金属製コイルファスナー等の公知のチェインファスナーであってもよい。この係脱自在機構は、相対向するように配置された合成樹脂製の複数のフック状植毛係止体１２と合成樹脂製の複数のループ状植毛係止体１１とを含む。
【００２０】
ループ状植毛係止体１１は、それらが一体に形成された合成樹脂製の長尺な基台シート（不図示）が接着剤、両面粘着テープ、等の適宜な固定手段（不図示）によりワイヤハーネス５０のシース５２の外面上に接着されることにより、シース５２の外面上の少なくとも一部を連続的に覆うようにワイヤハーネス５０に固定される。係脱自在機構がチェインファスナーである場合も、チェインが設けられた基台布状テープが接着剤、両面粘着テープ、等の適宜な固定手段によりワイヤハーネス５０のシース５２の外面上に固定される。尚、ループ状植毛係止体１１は、シース５２の外周面を囲むように配置されると好ましい。
【００２１】
被取付体５１は例えば車両の車室のドアパネル、フロアパネル、等といった車両パネルの内装壁等である。ループ状植毛係止体１１と対になるフック状植毛係止体１２は、それらが一体に形成された合成樹脂製の長尺な基台シート（不図示）が接着剤、両面粘着テープ、糸、等の適宜な固定手段（不図示）により被取付体５１の取付面上の少なくとも一部を連続的に覆うように被取付体５１に固定される。係脱自在機構がチェインファスナーである場合も、チェインが設けられた基台布状テープが接着剤、両面粘着テープ、糸、等の適宜な固定手段により被取付体５１の取付面上に固定される。
【００２２】
よって、このワイヤハーネス余長吸収構造１０が備える係脱自在機構は、たとえワイヤハーネス５０のシース５２の外面や被取付体５１の取付面が曲面や凹凸面を持つものであったとしても、それら面に沿って基台シート（不図示）を固定することができる。
【００２３】
ワイヤハーネス５０が被取付体５１に向けて押圧されると、ワイヤハーネス５０のループ状植毛係止体１１が被取付体５１のフック状植毛係止体１２に係合され、これによりワイヤハーネス５０が被取付体５１上に取り付けられる。この状態で、ワイヤハーネス５０が被取付体５１から離れるように引き上げられると、ワイヤハーネス５０のループ状植毛係止体１１と被取付体５１のフック状植毛係止体１２との係合が解除され、これによりワイヤハーネス５０が被取付体５１から離脱する。尚、ワイヤハーネス５０にフック状植毛係止体１２を固定し、そして被取付体５１にループ状植毛係止体１１を固定してもよいことは言うまでもない。
【００２４】
ケース１３は、合成樹脂製であって、箱形状に形成されている。ケース１３は係脱操作機構を有する。この係脱操作機構は、ワイヤハーネス５０がケース１３から引き出されるようにケース１３がワイヤハーネス５０の長さ方向の一端部へ向かう第１の方向（即ち、図１（ｂ）中に矢印Ｆで示されるハーネス引き出し方向）へ移動されることにより、ループ状植毛係止体１１とフック状植毛係止体１２とを係合させる。また、当該係脱操作機構は、ワイヤハーネス５０がケース１３に収納されるようにケース１３が第１の方向とは逆の第２の方向（即ち、図１（ａ）中に矢印Ｅで示されるハーネス取り入れ方向）へ移動されることにより、ループ状植毛係止体１１とフック状植毛係止体１２との係合を解除する。
【００２５】
ケース１３は、その本体内部にワイヤハーネス５０の余長部分５３を収納するための空間を形成する収納部１４を有する。また、ケース１３は、収納部１４を形成するための一対の側板１５，１６を有し、これらのうちワイヤハーネス５０の取り入れ時に移動方向前方に配置される側板１５の下方部に開口部１７が形成されている。この開口部１７を通じてワイヤハーネス５０の引き出しおよび取り入れが行なわれる。
【００２６】
ケース１３は、係脱操作機構として、ワイヤハーネス５０がケース１３から引き出される際にフック状植毛係止体１２とループ状植毛係止体１１とが係合するようにワイヤハーネス５０を押圧する押圧部１８と、ワイヤハーネス５０がケース１３に収納されるようにケース１３に進入する際にフック状植毛係止体１２とループ状植毛係止体１１との係合を解除するようにフック状植毛係止体１２とループ状植毛係止体１１との間に進入する解除部２０と、を有する。尚、係脱自在機構がチェインファスナーである場合、押圧部１８および解除部２０をケース１３に設ける代わりに、係脱操作機構として、解除部２０の位置に公知の係脱操作スライダーを設ければよい。
【００２７】
押圧部１８は、開口部１７の上方に位置する側板１５の外面に片持ち状に一体成形された弾性押圧片である。この押圧部１８は、開口部１７の外側に引き出されるワイヤハーネス５０を被取付体５１に向けて押圧する。よって、押圧部１８は、ケース１３がハーネス引き出し方向にスライド移動する際に収納部１４から引き出されてきたワイヤハーネス５０を被取付体５１に向けて押圧し、これによりワイヤハーネス５０のループ状植毛係止体１１を被取付体５１のフック状植毛係止体１２に係合させる。
【００２８】
また、押圧部１８は、ワイヤハーネス５０の外径に応じて撓むように成形されているため、ワイヤハーネス５０の外径にバラツキがあったとしても、それを吸収して、確実にループ状植毛係止体１１とフック状植毛係止体１２との係合が行なわれるようにする。更に、押圧部１８は、ケース１１がハーネス取り入れ方向にスライド移動する際に、ケース１１の収納部１４内に引き込まれるワイヤハーネス５０の上面に接触することで、ワイヤハーネス５０のループ状植毛係止体１１が取り付けられた下面とは反対側の上面に付着している塵埃等を除去してケース１１内に入り込まないようにする機能も有する。
【００２９】
解除部２０は、収納部１４を形成するためのケース１３の底板１９の開口部１７側の先端部に一体成形される。この解除部２０は、ケース１３がハーネス取り入れ方向にスライド移動する際にワイヤハーネス５０のループ状植毛係止体１１と被取付体５１のフック状植毛係止体１２との間に進入することでワイヤハーネス５０を被取付体５１から離れる方向に押し上げてループ状植毛係止体１１とフック状植毛係止体１２との係合を解除し、ワイヤハーネス５１を被取付体５１から離脱させる。尚、解除部２０は、その先端が先細りしているので、ループ状植毛係止体１１とフック状植毛係止体１２との間への進入が容易なものとなっている。
【００３０】
このようなワイヤハーネス余長吸収構造１０では、ワイヤハーネス５０の配策を行なうに際し、まず、被取付体５１における所定の配策部位の取付面上に基台シート（不図示）を接着することでフック状植毛係止体１２を固定する。そして、余長部分５３をケース１３の収納部１４内に湾曲状に収納されたワイヤハーネス５０をフック状植毛係止体１２上に載置し、ワイヤハーネス５０のケース１３から引き出されている部分のループ状植毛係止体１１をフック状植毛係止体１２と係合させる。
【００３１】
ケース１３がフック状植毛係止体１２に沿ってハーネス引き出し方向にスライド移動されることで、ケース１３の押圧部１８が収納部１４から引き出されてきたワイヤハーネス５０を被取付体５１に向けて押圧するため、ワイヤハーネス５０のループ状植毛係止体１１が被取付体５１のフック状植毛係止体１２に係合されてワイヤハーネス５０が配策部位上に配策される。このとき、ケース１３の収納部１４内に収納されているワイヤハーネス５０の余長部分５３は、その径を小さくして行く（図１（ｂ）参照）。
【００３２】
そして、ワイヤハーネス５０が被取付体５１上の所望の配策部位に配策されたところでケース１３のスライド移動を停止する。
【００３３】
これとは逆に、ワイヤハーネス５０を被取付体５１から取り外すため、あるいはワイヤハーネス５０のケース１３から引き出されている部分の長さを短くするために、ケース１３がフック状植毛係止体１２に沿ってハーネス取り入れ方向にスライド移動されることで、ケース１３の解除部２０がワイヤハーネス５０のケース１３から引き出されている部分のループ状植毛係止体１１とフック状植毛係止体１２との間に進入するので、ループ状植毛係止体１１とフック状植毛係止体１２との係合が解除されることでワイヤハーネス５０が被取付体５１から離脱される。このとき、ケース１３の収納部１４内に収納されているワイヤハーネス５０の余長部分５３は、その径を大きくして行く（図１（ａ）参照）。
【００３４】
そして、被取付体５１からのワイヤハーネス５０の所望の取り外し量に到達したところでケース１３のスライド移動を停止する。
【００３５】
このようなワイヤハーネス余長吸収構造１０によれば、単一の長さを有する複数のワイヤハーネス５０を様々な被取付体５１の配索部位にそれぞれ取り付けたときに、要求される長さの違いにより生じた余長部分５３を吸収することができるので、ワイヤハーネス５０の汎用性を高めることができる。
【００３６】
このように、ワイヤハーネス余長吸収構造１０では、ケース１３を第１の方向（即ち、図１（ｂ）中に矢印Ｆで示されるハーネス引き出し方向）へ移動していくと押圧部１８によりループ状植毛係止体１１とフック状植毛係止体１２とが係合していくので、ワイヤハーネス５０がケース１３から引き出されながら被取付体５１に取り付けられていく。他方、ケース１３を第２の方向（即ち、図１（ａ）中に矢印Ｅで示されるハーネス取り入れ方向）へ移動していくと解除部２０によりループ状植毛係止体１１とフック状植毛係止体１２との係合が解除されていくので、ワイヤハーネス５０が、ケース１３内に収納されながら被取付体５１から離脱されていく。従って、ワイヤハーネス余長吸収構造１０によれば、ケース１３を移動させるだけでワイヤハーネス５０の被取付体５１への着脱を行なえるため、組付け作業を簡略化することができ、そして従来のワイヤハーネス余長吸収構造と比較して大きなスペースを必要としないようにできるので、省スペース化を図ることができる。その上、ワイヤハーネス余長吸収構造１０では、金属製のスプリング等を用いないので、部品点数を減少させることができるとともにワイヤハーネス５０を損傷することもなく、リサイクルのための分別作業を効率良く行なうことができる。
【００３７】
また、ワイヤハーネス余長吸収構造１０では、係脱自在機構が、例えば、マジックテープ（登録商標）、ベルクロ（即ち、ｖｅｌｃｒｏ）、等といった面ファスナーであって、即ち、ワイヤハーネス５０に固定される長尺な第１の機構部材（即ち、ループ状植毛係止体１１と該ループ状植毛係止体１１が一体に形成された長尺な基台シート（不図示）との組み合わせ）と被取付体５１に固定される長尺な第２の機構部材（即ち、フック状植毛係止体１２と該フック状植毛係止体１２が一体に形成された長尺な基台シート（不図示）との組み合わせ）とが互いに係脱自在に構成されたものであるので、たとえワイヤハーネス５０の外面や被取付体５１の取付面が曲面や凹凸面を持つものであったとしても、接着剤、粘着テープ、等の適宜な固定手段により面ファスナーをワイヤハーネス５０の外面と被取付体５１の取付面とに容易に固定することができる。また、押圧部１８および解除部２０を有するケース１３は、２つの長尺な機構部材を係脱させる係脱操作スライダーとして働く。よって、ワイヤハーネス余長吸収構造１０によれば、被取付体５１に対してワイヤハーネス５０を容易に着脱自在にすることができる。
【００３８】
また、ワイヤハーネス余長吸収構造１０では、前述した第１の機構部材および第２の機構部材が非金属製で且つ合成樹脂製であるので、金属製のスプリングとは異なり、リサイクルのための解体時の分別作業が容易になる。
【００３９】
また、ワイヤハーネス余長吸収構造１０によれば、押圧部１８はワイヤハーネス５０がケース１３から引き出される際にフック状植毛係止体１２とループ状植毛係止体１１とが係合するように該ワイヤハーネス５０を押圧し、そして解除部２０はワイヤハーネス５０がケース１３に収納されるように進入する際にフック状植毛係止体１２とループ状植毛係止体１１との係合を解除するので、被取付体５１に対するワイヤハーネス５０の着脱を確実にすることができる。
【００４０】
尚、押圧部１８をワイヤハーネス５０の外径に応じて撓むように形成すれば、ワイヤハーネス５０の外径にバラツキがあったとしても、それを吸収して確実にループ状植毛係止体１１とフック状植毛係止体１２とを係合させることができる。また、押圧部１８および解除部２０がケース１３と一体成形されるので、他の別体部材としてケース１３に取付ける必要がなくなり、生産性を向上させることができる。
【００４１】
また、ワイヤハーネス余長吸収構造１０によれば、ワイヤハーネス５０の長さ方向の一端部の余長部分５３が、省スペース化を図るために湾曲状に、ケース１３内に収納されるので、ケース１３内の空間が小さくても効率よくワイヤハーネス５０の余長部分５３をケース１３内に収納することができる。
【００４２】
（第２実施形態）
次に、図２および図３（ａ）〜図３（ｄ）を参照しながら本発明に係るワイヤハーネス余長吸収構造の第２実施形態について説明する。尚、この第２実施形態における第１実施形態と同一または同等部分については、同一の符号を付し、説明を省略あるいは簡略化する。
【００４３】
図２および図３（ａ）〜図３（ｄ）に示されるように、ワイヤハーネス余長吸収構造３０は、ワイヤハーネス５０と、当該ワイヤハーネス５０の長さ方向に沿って配置され、被取付体５１に対してワイヤハーネス５０を着脱自在にするために係脱自在に形成され、ワイヤハーネス５０と被取付体５１とに介在且つ固定された係脱自在機構と、当該係脱自在機構に沿ってスライド移動自在に配置され、ワイヤハーネス５０の長さ方向の一端部の余長部分５３を収納するケース１３０と、を備える。
【００４４】
このワイヤハーネス余長吸収構造３０が備える係脱自在機構は、ワイヤハーネス５０の長さ方向に並ぶようにワイヤハーネス５０のシース５２に、接着剤、両面粘着テープ、等の適宜な固定手段（不図示）によって、あるいはシース５２との一体成形によって、固定された複数の係止爪３１と、被取付体５１の表面の少なくとも一部を連続的に覆うように被取付体５１に接着剤、両面粘着テープ、等の適宜な固定手段（不図示）により固定された係止爪受容部材３３と、を含む。
【００４５】
複数の係止爪３１は、それらのワイヤハーネス５０から係止爪受容部材３３へ延長する本体３１ａから、交差する方向にそれぞれ延長する引っ掛け先端部３１ｂを有する。即ち、複数の係止爪３１は断面視略Ｌ字形を有する。
【００４６】
係止爪受容部材３３は、引っ掛け先端部３１ｂと係合する係合長尺突起部３６と、当該係合長尺突起部３６の長尺先端面と対向しながら配置された長尺自由端面を有する可撓片持ち長尺片部３２と、を有する。係合長尺突起部３６と可撓片持ち長尺片部３２との間には、係止爪受容部材３３の長さ方向に延長する連続した細長穴、つまり、スリットが形成される。
【００４７】
尚、図３（ａ）に示されるように、引っ掛け先端部３１ｂと係合長尺突起部３６とが係合しながらワイヤハーネス５０がケース１３０外に位置する際に、複数の係止爪３１の本体３１ａは、係合長尺突起部３６の長尺先端面と可撓片持ち長尺片部３２の長尺自由端面とに介在し、このように係止爪３１と係止爪受容部材３３とが係合する。
【００４８】
ケース１３０は、合成樹脂製であって、箱形状に形成されている。ケース１３０は係脱操作機構を有する。この係脱操作機構は、ワイヤハーネス５０がケース１３０から引き出されるようにケース１３０がワイヤハーネス５０の長さ方向の一端部へ向かう第１の方向（即ち、図２中に矢印Ｆで示されるハーネス引き出し方向）へ移動されることにより、係止爪３１と係止爪受容部材３３とを係合させる。また、当該係脱操作機構は、ワイヤハーネス５０がケース１３０に収納されるようにケース１３０が第１の方向とは逆の第２の方向（即ち、図２中に矢印Ｅで示されるハーネス取り入れ方向）へ移動されることにより、係止爪３１と係止爪受容部材３３との係合を解除する。より詳細には、図２および図３（ｂ）〜図３（ｄ）に示されるように、ワイヤハーネス５０がケース１３０に収納されるように進入する際に、可撓片持ち長尺片部３２がケース１３０の係脱操作機構によりワイヤハーネス５０から離れる方向に押圧されることにより変形し、その変形に伴い係止爪３１と係止爪受容部材３３との係合が解除可能な状態となる。
【００４９】
ケース１３０は、その本体内部にワイヤハーネス５０の余長部分５３を収納するための空間を形成する収納部１４を有する。また、ケース１３０は、収納部１４を形成するための一対の側板１５，１６を有し、これらのうちワイヤハーネス５０の取り入れ時に移動方向前方に配置される側板１５の下方部に開口部１７が形成されている。この開口部１７を通じてワイヤハーネス５０の引き出しおよび取り入れが行なわれる。
【００５０】
ケース１３０は、係脱操作機構として、ワイヤハーネス５０がケース１３０から引き出されながら係止爪３１の引っ掛け先端部３１ｂが係止爪受容部材３３の係合長尺突起部３６と係合するように、ワイヤハーネス５０の係止爪３１が固定された面とは反対側の面と係止爪受容部材３３との間の距離を一定に保つ係合強制部３４と、ワイヤハーネス５０がケース１３０内に進入しながら係止爪３１の引っ掛け先端部３１ｂと係止爪受容部材３３の係合長尺突起部３６との係合が解除されるように係止爪受容部材３３の可撓片持ち長尺片部３２をワイヤハーネス５０から離れる方向に押圧する係合解除部３５と、を含む。
【００５１】
このように構成されたワイヤハーネス余長吸収構造３０について、以下に、より詳細に説明する。
【００５２】
係止爪受容部材３３は、弾性のあるゴムや可撓性のある合成樹脂を素材として断面視略Ｃ字形を有するチューブ状に形成されており、被取付体５１の表面においてワイヤハーネス５０を配策する配策部位上に配置される。
【００５３】
図３（ａ）〜図３（ｄ）に示されるように、係止爪受容部材３３は、上面に可撓片持ち長尺片部３２と係合長尺突起部３６とが空隙部３７を介在させて対向配置されており、これら可撓片持ち長尺片部３２と係合長尺突起部３６との下方に空間部３８を有する。
【００５４】
ケース１３０は、ワイヤハーネス５０の引き出しおよび取り入れを行なう開口部１７を画成する上面が係合強制部３４になっている。この係合強制部３４は、ケース１３０が図２中に矢印Ｆで示すハーネス引き出し方向にスライド移動するのに伴って収納部１４から引き出されてきたワイヤハーネス５０を被取付体５１に向けて押圧することで、係止爪３１を係止爪受容部材３３の可撓片持ち長尺片部３２に衝突させて変形させながら係止爪３１の引っ掛け先端部３１ｂを係合長尺突起部３６の下面に係止させる。
【００５５】
換言すれば、係止爪受容部材３３は、ワイヤハーネス５０が被取付体５１側に押圧されると、可撓片持ち長尺片部３２に係止爪３１が衝突して、可撓片持ち長尺片部３２が空間部３８側へ弾性的に変形されることで係止爪３１の引っ掛け先端部３１ｂを空間部３８内に落とし込み、係止爪３１の引っ掛け先端部３１ｂを係合長尺突起部３６に係止させ、弾性復帰する可撓片持ち長尺片部３２とともに係止爪３１を係合保持させる。
【００５６】
図３（ｂ）に示されるように、ケース１３０の係合解除部３５は、ケース１３０の底板１９の下面から被取付体５１に向けて突出するように形成されており、ケース１３０が図２中に矢印Ｅで示すハーネス取り入れ方向にスライド移動するのに伴って可撓片持ち長尺片部３２を被取付体５１側に向けて押圧する。また、ケース１３０は、係合解除部３５の上部に、ケース１３０の側板１６に向けて隙間が徐々に大きくなるように成形されたガイド部３９を有する。
【００５７】
係止爪３１の引っ掛け先端部３１ｂは、可撓片持ち長尺片部３２が係合解除部３５により押圧されて空間部３８内に落とし込まれた際に、係合長尺突起部３６による係止（即ち、係合長尺突起部３６との係合）が解除され易いように、係止爪３１の本体３１ａから斜め下に傾斜する係合解除傾斜面３１ｃを有する（図３（ｃ）および図３（ｄ）参照）。
【００５８】
図３（ｄ）に示されるように、ワイヤハーネス５０は、ケース１３０がハーネス取り入れ方向にスライド移動を更に続けることで、可撓片持ち長尺片部３２が係合解除部３５により変形させられたままの状態で、隙間が多くなっているガイド部３９を通じて収納部１４内へ引き込まれていく。
【００５９】
このようなワイヤハーネス余長吸収構造３０では、ワイヤハーネス５０の配策を行なうに際し、まず、被取付体５１における所定の配策部位の取付面上に係止爪受容部材３３を接着することで係止爪受容部材３３を固定する。そして、余長部分５３をケース１３０の収納部１４内に湾曲状に収納されたワイヤハーネス５０を係止爪受容部材３３上に載置し、ケース１３０を係止爪受容部材３３に沿って図２中の矢印Ｆ方向にスライド移動させて（あるいは人手で）、ワイヤハーネス５０のケース１３０から引き出される部分の係止爪３１を係止爪受容部材３３と係合させる。
【００６０】
ケース１３０が係止爪受容部材３３に沿ってハーネス引き出し方向にスライド移動されることで、ケース１３０の係合強制部３４が収納部１４から引き出されてきたワイヤハーネス５０を被取付体５１に向けて押圧するため、係止爪３１を係止爪受容部材３３の可撓片持ち長尺片部３２に衝突させて変形させた後に係合長尺突起部３６に係止させる。これにより、ワイヤハーネス５０が配策部位上に配策される。このとき、ケース１３０の収納部１４内に収納されているワイヤハーネス５０の余長部分５３は、その径を小さくして行く。
【００６１】
そして、ワイヤハーネス５０が被取付体５１上の所望の配策部位上に配策されたところでケース１３０のスライド移動を停止する。
【００６２】
これとは逆に、ワイヤハーネス５０を被取付体５１から取り外すため、あるいはワイヤハーネス５０のケース１３０から引き出されている部分の長さを短くするために、ケース１３０が係止爪受容部材３３に沿ってハーネス取り入れ方向にスライド移動されることで、ケース１３０の係合解除部３５が可撓片持ち長尺片部３２を被取付体５１側に向けて押圧するため、係止爪３１の係止爪受容部材３３との係合が解除され、ワイヤハーネス５０が被取付体５１から離脱される。このとき、ケース１３０の収納部１４内に収納されているワイヤハーネス５０の余長部分５３は、その径を大きくして行く。
【００６３】
そして、被取付体５１からのワイヤハーネス５０の所望の取り外し量に到達したところでケース１３０のスライド移動を停止する。
【００６４】
このようなワイヤハーネス余長吸収構造３０によれば、単一の長さを有する複数のワイヤハーネス５０を様々な被取付体５１の配索部位にそれぞれ取り付けたときに、要求される長さの違いにより生じた余長部分５３を吸収することができるので、ワイヤハーネス５０の汎用性を高めることができる。
【００６５】
このように、ワイヤハーネス余長吸収構造３０では、ケース１３０を第１の方向（即ち、図２中に矢印Ｆで示されるハーネス引き出し方向）へ移動していくと係合強制部３４により係止爪３１と係止爪受容部材３３とが係合していくので、ワイヤハーネス５０がケース１３０から引き出されながら被取付体５１に取り付けられていく。他方、ケース１３０を第２の方向（即ち、図２中に矢印Ｅで示されるハーネス取り入れ方向）へ移動していくと係合解除部３５により係止爪３１と係止爪受容部材３３との係合が解除されていくので、ワイヤハーネス５０が、ケース１３０内に収納されながら被取付体５１から離脱されていく。従って、ワイヤハーネス余長吸収構造３０によれば、ケース１３０を移動させるだけでワイヤハーネス５０の被取付体５１への着脱を行なえるため、組付け作業を簡略化することができ、そして従来のワイヤハーネス余長吸収構造と比較して大きなスペースを必要としないようにできるので、省スペース化を図ることができる。その上、ワイヤハーネス余長吸収構造３０では、金属製のスプリング等を用いないので、部品点数を減少させることができるとともにワイヤハーネス５０を損傷することもなく、リサイクルのための分別作業を効率良く行なうことができる。尚、係合強制部３４および係合解除部３５等をケース１３０に一体成形すれば、他の別体部材としてケース１３０に取付ける必要がなくなり、生産性を向上させることができる。
【００６６】
また、ワイヤハーネス余長吸収構造３０によれば、ワイヤハーネス５０の長さ方向の一端部の余長部分５３が、省スペース化を図るために湾曲状に、ケース１３０内に収納されるので、ケース１３０内の空間が小さくても効率よくワイヤハーネス５０の余長部分５３をケース１３０内に収納することができる。
【００６７】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【図面の簡単な説明】
【００６８】
【図１】（ａ）および（ｂ）は本発明に係るワイヤハーネス余長吸収構造の第１実施形態を示す断面図である。
【図２】本発明に係るワイヤハーネス余長吸収構造の第２実施形態を示す断面図である。
【図３】（ａ）は図２のＡ−Ａ線矢視断面図、（ｂ）は図２のＢ−Ｂ線矢視断面図、（ｃ）は図２のＣ−Ｃ線矢視断面図、そして（ｄ）は図２のＤ−Ｄ線矢視断面図である。
【符号の説明】
【００６９】
１０，３０  ワイヤハーネス余長吸収構造
１１        ループ状植毛係止体（係脱自在機構）
１２        フック状植毛係止体（係脱自在機構）
１３        ケース
１８        押圧部（係脱操作機構）
２０        解除部（係脱操作機構）
３１        係止爪（係脱自在機構）
３２        可撓片持ち長尺片部（係脱自在機構）
３３        係止爪受容部材（係脱自在機構）
３４        係合強制部（係脱操作機構）
３５        係合解除部（係脱操作機構）
５０        ワイヤハーネス
５１        被取付体
５３        余長部分
【図１】
2006314176.tif 000003
【図２】
2006314176.tif 000004
【図３】
2006314176.tif 000005